(57)【要約】      （修正有）【課題】インタラクティブ地域ブロードキャストサービスのデプロイメント及び管理のシステムの提供。【解決手段】デプロイされる複数のエージェントのうち少なくとも一つを具えた複数のロードサイドユニット（ＲＳＵ）を具え、各エージェントは、サービスデプロイメントメッセージを受信し、サービストラッキングリクエストをブロードキャストするためのＲＳＵ受信／送信装置と、サービステーブルとサービス関連トポロジーテーブルを維持するための保存装置とを包含する。該サービステーブルは対応するＲＳＵ上で現在ブロードキャスティングサービスコンテントを実行する少なくとも一つのサービスを記録し、サービス関連トポロジーテーブルは、対応するＲＳＵの近隣のＲＳＵをインタラクティブにデプロイメント、中断、及びトラッキングを実行し、少なくとも一つのブロードキャストサービスを、対応するＲＳＵとこれら二つのテーブルを通して完成する。【選択図】図３
2012114891.tif 000002
【特許請求の範囲】
【請求項１】
インタラクティブ地域ブロードキャストサービスのデプロイメント及び管理のシステムにおいて、このシステムは複数のエージェントを包含し、複数のロードサイドユニットの各該ロードサイドユニットが、該複数のエージェント中の一つのエージェントを具え、各該エージェントはさらに、
各該エージェントは、ロードサイドユニット受信／送信装置、保存装置、及びプロセッサを包含し、
該ロードサイドユニット受信／送信装置は、少なくとも一つのサービスデプロイメントメッセージ（ｓｅｒｖｉｃｅ  ｄｅｐｌｏｙｍｅｎｔ  ｍｅｓｓａｇｅ）を受信し、少なくとも一つのサービストラッキングリクエスト（ｓｅｒｖｉｃｅ  ｔｒａｃｋｉｎｇ  ｒｅｑｕｅｓｔ）をブロードキャストし、
該保存装置は、サービステーブル（ｓｅｖｉｃｅ  ｔａｂｌｅ）とサービス関連トポロジーテーブル（ｓｅｒｖｉｃｅ−ｒｅｌａｔｅｄ  ｔｏｐｏｌｏｇｙ  ｔａｂｌｅ）を維持し、
インタラクティブ地域サービスのブロードキャスティングを実行開始する時、該サービステーブルは、現在、対応するロードサイドユニット上でブロードキャスティングが実行されている少なくとも一つのサービスコンテンツを記録し、
該サービス関連トポロジーテーブルは、該対応するロードサイドユニットの近隣エリアの少なくとも一つのロードサイドユニットを記録し、
該プロセッサは該対応するロードサイドユニットと二つの対応するテーブルにより、インタラクティブ地域サービスデプロイ、インタラクティブ地域サービス中断、及びインタラクティブ地域サービストラッキングを実行し、並びに少なくとも一つのブロードキャスティングサービスを管理と実現することを特徴とする、インタラクティブ地域ブロードキャストサービスのデプロイメント及び管理のシステム。
【請求項２】
請求項１に記載のインタラクティブ地域ブロードキャストサービスのデプロイメント及び管理のシステムにおいて、該サービステーブルの各エントリー（ｅｎｔｒｙ）は少なくとも、サービスコードフィールド、記述フィールド、メディアアクセスコントロール（Ｍｅｄｉａ  Ａｃｃｅｓｓ  Ｃｏｎｔｒｏｌ，ＭＡＣ）フィールド、タイムアウト（ｔｉｍｅ  ｏｕｔ）フィールドを包含し、
該サービスコードフィールドは、対応するロードサイドユニット上でブロードキャスティング実行される少なくとも一つのサービスコンテンツのサービスの識別コードを記録し、
該記述フィールドは、該サービスコンテンツの摘要の記述を記録し、
該メディアアクセスコントロールフィールドは、このサービスデプロイメントを要求するロードサイドユニットのメディアアクセスコントロールアドレスを記録し、
該タイムアウトフィールドは、このサービスコンテンツのブロードキャスティングの時間デュレーションを記録することを特徴とする、インタラクティブ地域ブロードキャストサービスのデプロイメント及び管理のシステム。
【請求項３】
請求項１に記載のインタラクティブ地域ブロードキャストサービスのデプロイメント及び管理のシステムにおいて、該サービス関連トポロジーテーブルの各エントリーは少なくとも、ロードサイドユニット識別コードフィールド、メディアアクセスコントロールフィールド、及び地点フィールドを包含し、
該ロードサイドユニット識別コードフィールドは、少なくとも一つのサービス関連ロードサイドユニットの一つのロードサイドユニットの識別コードを記録し、
該メディアアクセスコントロールフィールドは、該ロードサイドユニットのメディアアクセスコントロールのアドレスを記録し、
該地点フィールドは、該ロードサイドユニットの実際の地理位置を記録し、
該エージェントがブロードキャスティングサービスを実行する時、該メディアアクセスコントロールフィールドはソースロードサイドユニットと目標ロードサイドユニットの認識の基礎とされることを特徴とする、インタラクティブ地域ブロードキャストサービスのデプロイメント及び管理のシステム。
【請求項４】
請求項１に記載のインタラクティブ地域ブロードキャストサービスのデプロイメント及び管理のシステムにおいて、該少なくとも一つのサービスデプロイメントメッセージはロケーションベースサービスデプロイメントメッセージであり、該ロケーションベースサービスデプロイメントメッセージはブロードキャスティングされるロケーションベースサービスデプロイメントのロケーション範囲と時間デュレーションの情報を包含し、並びに該情報はサービスプロバイダーにより選択されることを特徴とする、インタラクティブ地域ブロードキャストサービスのデプロイメント及び管理のシステム。
【請求項５】
請求項１に記載のインタラクティブ地域ブロードキャストサービスのデプロイメント及び管理のシステムにおいて、サービス要求者が該対応するロードサイドユニットに向けて該サービストラッキングリクエストを伝送し、及び該サービストラッキングリクエストは、サービスコードと、サービス関連メッセージの情報を包含することを特徴とする、インタラクティブ地域ブロードキャストサービスのデプロイメント及び管理のシステム。
【請求項６】
請求項１に記載のインタラクティブ地域ブロードキャストサービスのデプロイメント及び管理のシステムにおいて、サービスプロバイダーが該少なくとも一つのサービスデプロイメントメッセージを該対応するロードサイドユニットに伝送することを特徴とする、インタラクティブ地域ブロードキャストサービスのデプロイメント及び管理のシステム。
【請求項７】
請求項２に記載のインタラクティブ地域ブロードキャストサービスのデプロイメント及び管理のシステムにおいて、該サービステーブル中の各エントリーのこれら４つのフィールドの情報は、該対応するロードサイドユニットより近隣のロードサイドユニットに伝送されることを特徴とする、インタラクティブ地域ブロードキャストサービスのデプロイメント及び管理のシステム。
【請求項８】
インタラクティブ地域ブロードキャストサービスのデプロイメント及び管理の方法において、
複数のエージェントを準備し、複数のロードサイドユニットの各ロードサイドユニットがインタラクティブ地域ブロードキャスティングサービスをデプロイ及び管理する少なくとも一つの該エージェントを具えているものとするステップと、
各該エージェントが該複数のエージェントのうち、関連する一つのエージェントに対応するロードサイドユニットを通し、少なくとも一つのサービスデプロイメントメッセージを受信し、少なくとも一つのサービストラッキングリクエストをブロードキャストするステップと、
複数のプロセッサを提供し、各プロセッサが該複数のロードサイドユニットを通して、インタラクティブ地域サービスのデプロイメント、インタラクティブ地域サービスの中断、及びインタラクティブ地域サービスのトラッキングを実行し、並びに少なくとも一つのブロードキャスティングサービスを管理と実現するステップと、
を包含することを特徴とする、インタラクティブ地域ブロードキャストサービスのデプロイメント及び管理の方法。
【請求項９】
請求項８に記載のインタラクティブ地域ブロードキャストサービスのデプロイメント及び管理の方法において、該対応するロードサイドユニットがサービスプロバイダーからのサービスデプロイメントリクエストを受信した後、該対応するロードサイドユニットに対して、対応するエージェントの対応するプロセッサが、同じサービスが該対応するロードサイドユニットに存在しているかを確認し、このリクエストのサービスデプロイメントのカバー範囲を確認し、このリクエストのサービスデプロイメントの時間デュレーションを確認し、このリクエストのサービスデプロイメントを近隣区域まで延伸することを特徴とする、インタラクティブ地域ブロードキャストサービスのデプロイメント及び管理の方法。
【請求項１０】
請求項８に記載のインタラクティブ地域ブロードキャストサービスのデプロイメント及び管理の方法において、該サービスプロバイダーの対応するロードサイドユニット中の該エージェントが該サービスプロバイダーからのサービス中断リクエストを受け取った後、対応するエージェントの対応するプロセッサが該サービスプロバイダーからのサービス中断リクエストを受け取り、該サービス中断リクエストが付帯する範囲情報を検査し、及び該インタラクティブ地域ブロードキャストサービスのデプロイメントを実行することを特徴とする、インタラクティブ地域ブロードキャストサービスのデプロイメント及び管理の方法。
【請求項１１】
請求項８に記載のインタラクティブ地域ブロードキャストサービスのデプロイメント及び管理の方法において、サービス要求者が該対応するロードサイドユニットに向けてサービストラッキングリクエストを伝送して、サービスを取得し、それに対応するエージェントの対応するプロセッサが該サービストラッキングリクエストを受信し、サービス関連トポロジーテーブルをサーチし、並びに該サービストラッキングリクエストを該対応するロードサイドユニットの近隣区域に伝送し、及び該インタラクティブ地域ブロードキャストサービスのデプロイメントを実行することを特徴とする、インタラクティブ地域ブロードキャストサービスのデプロイメント及び管理の方法。
【請求項１２】
請求項８に記載のインタラクティブ地域ブロードキャストサービスのデプロイメント及び管理の方法において、各該エージェントはサービステーブルとサービス関連トポロジーテーブルを維持し、インタラクティブ地域ブロードキャストサービスのブロードキャスティングを実行開始する時、該サービステーブルは、現在対応するロードサイドユニット上でブロードキャスティング実行される少なくとも一つのサービスコンテンツの情報を記録し、該サービス関連トポロジーテーブルは該対応するロードサイドユニットに連結可能な近隣区域内の少なくとも一つのロードサイドユニットの情報を記録することを特徴とする、インタラクティブ地域ブロードキャストサービスのデプロイメント及び管理の方法。
【請求項１３】
請求項８に記載のインタラクティブ地域ブロードキャストサービスのデプロイメント及び管理の方法において、各該サービスデプロイメントメッセージはブロードキャスティングされるロケーションベースサービスのサービスデプロイメントのロケーション範囲と時間デュレーションの情報を包含し、並びに該情報は該サービスプロバイダーにより選択されることを特徴とする、インタラクティブ地域ブロードキャストサービスのデプロイメント及び管理の方法。
【請求項１４】
請求項８に記載のインタラクティブ地域ブロードキャストサービスのデプロイメント及び管理の方法において、サービストラッキングリクエストはサービスコードとサービス関連メッセージの情報を包含することを特徴とする、インタラクティブ地域ブロードキャストサービスのデプロイメント及び管理の方法。
【請求項１５】
請求項９に記載のインタラクティブ地域ブロードキャストサービスのデプロイメント及び管理の方法において、該対応するエージェントの対応するプロセッサは、サービス関連トポロジーテーブルを参照し、該サービスデプロイメントリクエストを該対応するロードサイドユニットの近隣区域に先進することを特徴とする、インタラクティブ地域ブロードキャストサービスのデプロイメント及び管理の方法。
【請求項１６】
請求項１０に記載のインタラクティブ地域ブロードキャストサービスのデプロイメント及び管理の方法において、該サービスプロバイダーが該サービスの中断を起動する時、一旦、サービス中断時間に到達する時、対応するエージェントの対応するプロセッサが該サービスの中断のサービスを中断し、並びに該サービステーブル中より該サービスの記録を除去することを特徴とする、インタラクティブ地域ブロードキャストサービスのデプロイメント及び管理の方法。
【請求項１７】
請求項１１に記載のインタラクティブ地域ブロードキャストサービスのデプロイメント及び管理の方法において、該近隣区域中のその他のロードサイドユニットのエージェントがサービストラッキングリクエストを受け取り並びに該サービストラッキングリクエストをその他のロードサイドユニットに伝送し、及び該サービスプロバイダーに向けて該トラッキング情報をレポートすることを特徴とする、インタラクティブ地域ブロードキャストサービスのデプロイメント及び管理の方法。
【請求項１８】
請求項１７に記載のインタラクティブ地域ブロードキャストサービスのデプロイメント及び管理の方法において、該近隣区域のその他のロードサイドユニットのエージェントが、ある期間に通信不能である時、該対応するエージェントの対応するプロセッサが該サービステーブルをサーチし、異なるロードサイドユニットが同じサービスコンテンツをブロードキャスティング可能であるかを探し出し、異なるロードサイドユニットの情報が存在する場合は、このサービストラッキングリクエストは異なるロードサイドユニットに伝送され、このサービスのトラッキングが完成することを特徴とする、インタラクティブ地域ブロードキャストサービスのデプロイメント及び管理の方法。
【請求項１９】
請求項８に記載のインタラクティブ地域ブロードキャストサービスのデプロイメント及び管理の方法において、各該エージェントは、ソフトウエアモジュール、装置、埋め込みシステムのいずれかにより実現されることを特徴とする、インタラクティブ地域ブロードキャストサービスのデプロイメント及び管理の方法。
【請求項２０】
インタラクティブ地域ブロードキャストサービスのデプロイメント及び管理のシステム中のロードサイドユニットにおいて、該ロードサイドユニットは、
少なくとも一つのエージェントを包含し、該エージェントは、サービスプロバイダーが発送した少なくとも一つのサービスデプロイメントメッセージを受け取りサービス要求者が伝送した少なくとも一つのサービストラッキングリクエストをブロードキャスティングし、
及び、プロセッサを提供してインタラクティブ地域サービスのデプロイメント、インタラクティブ地域サービスの中断、インタラクティブ地域サービスのトラッキングを実行し、並びに少なくとも一つのブロードキャスティングサービスを管理及び実現するように設定されていることを特徴とする、インタラクティブ地域ブロードキャストサービスのデプロイメント及び管理のシステム中のロードサイドユニット。
【請求項２１】
請求項２０に記載のインタラクティブ地域ブロードキャストサービスのデプロイメント及び管理のシステム中のロードサイドユニットにおいて、該少なくとも一つのエージェントはソフトウエアモジュール、装置、及び埋め込みシステムのいずれかにより実現されることを特徴とする、インタラクティブ地域ブロードキャストサービスのデプロイメント及び管理のシステム中のロードサイドユニット。
【請求項２２】
請求項２０に記載のインタラクティブ地域ブロードキャストサービスのデプロイメント及び管理のシステム中のロードサイドユニットにおいて、該少なくとも一つのサービスデプロイメントメッセージは、ロケーションベースサービスデプロイメントメッセージであり、ロケーションベースサービスのブロードキャスティングのロケーション範囲と時間デュレーションを包含し、該サービスプロバイダーがこれら情報を選択することを特徴とする、インタラクティブ地域ブロードキャストサービスのデプロイメント及び管理のシステム中のロードサイドユニット。
【発明の詳細な説明】
【技術分野】
【０００１】
本発明は一種のインタラクティブ地域（ｉｎｔｅｒａｃｔｉｖｅ  ｒｅｇｉｏｎａｌ）ブロードキャストサービス（ｂｒｏａｄｃａｓｔ  ｓｅｒｖｉｃｅ）のデプロイメント（ｄｅｐｌｏｙｍｅｎｔ）及び管理のシステムに関する。
【背景技術】
【０００２】
ＧＰＳ（Ｇｌｏｂａｌ  Ｐｏｓｉｔｉｏｎｉｎｇ  Ｓｙｓｔｅｍ）と通信技術の普及に伴い、ロケーションベースサービス（Ｌｏｃａｔｉｏｎ−Ｂａｓｅｄ  Ｓｅｒｖｉｃｅ，ＬＢＳ）が新興のアプリケーションサービス技術となった。このロケーションベースサービスとは、モバイル通信装置（ｍｏｂｉｌｅ  ｃｏｍｍｕｎｉｃａｔｉｏｎ  ｄｅｖｉｃｅ）の位置に基づき、付加価値のロケーション関連（ｌｏｃａｔｉｏｎ  ｒｅｌａｔｅｄ）サービスを提供する。このロケーションベースサービスはモバイル通信装置の時間と地点に基づき、適合するサービスを提供することができる。
【０００３】
ある特許文献にモバイル通信ネットワーク情報を提供できる周知の技術が記載され、それによると、ユーザーはモバイル装置を通してメッセージの共有或いはアップロードのサービスを享受できる。
【０００４】
図１はこの技術を実現できるあるネットワーク構造のレイアウト図である。図１に示されるように、公共データネットワーク（Ｐｕｂｌｉｃ  Ｄａｔａ  Ｎｅｔｗｏｒｋ，ＰＤＮ）１０を準備してデータサービス（ｄａｔａ  ｓｅｒｖｉｃｅ）を提供する。データサービスは、モバイル装置によりモバイル通信システムを通して提供される。図１中の通信システムは通常、複数のモバイル通信装置にサービスするために配置される。
【０００５】
この通信システムは、モバイル装置１１−１２、基地局（ｂａｓｅ  ｔｒａｎｓｃｅｉｖｅｒ  ｓｔａｔｉｏｎ，ＢＴＳ）２１−２４、及び後端サーバー（ｂａｃｋ−ｅｎｄ  ｓｅｒｖｅｒｓ）を包含する。この後端サーバーは衛星ポジショニング分析の能力を有し、モバイル装置１１−１２はグローバルポジショニング情報とサービス内容アップロードし、及び、この後端サーバーは目的地位置と対応するロードサイドユニットを分析し、ゆえに基地局は情報とサービス内容を特定のモバイル装置に伝送できる。
【０００６】
基本的に、この方法のサービスブロードキャストメカニズムは主従（ｃｌｉｅｎｔ−ｓｅｒｖｅｒ）構造に属し、且つ該モバイル装置はポジショニング情報を後端サーバーが選択した適合するロードサイドユニット（ＲＳＵ）に送り返すように要求され、これにより情報任務とサービスコンテンツのブロードキャスティングを実現する。
【０００７】
別の周知の技術は、「次世代特定短距離通信技術（Ｄｅｄｉｃａｔｅｄ  Ｓｈｏｒｔ  Ｒａｎｇｅ  Ｃｏｍｍｕｎｉｃａｔｉｏｎ，ＤＳＲＣ）応用のＷＡＶＥ設計」が開示する、実際の交通工具無線通信システム中に応用される次世代の新規な特定短距離通信技術である。それによると、公共交通工具にＷＡＶＥ評価（ｅｖａｌｕａｔｉｏｎ）システム、たとえば、オンボードユニット（Ｏｎ  Ｂｏａｒｄ  Ｕｎｉｔ，ＯＢＵ）が取り付けられる。
【０００８】
図２はＷＡＶＥフィールドテスト（ｆｉｅｌｄ  ｔｅｓｔ）のシステム配置の例の表示図である。図２に示されるように、ＷＡＶＥオンボードユニット２１０がバス停標識の通信範囲に接近する時、バス内のビデオストリーミング（ｖｉｄｅｏ  ｓｔｒｅａｍｉｎｇ）がこのバス停標識と交差点をロードサイドユニット（Ｒｏａｄ  Ｓｉｄｅ  Ｕｎｉｔ，ＲＳＵ）、たとえばＷＡＶＥ  ＲＳＵ１〜ＷＡＶＥ  ＲＳＵ３とすることにより、中央サーバーユニット（ｃｅｎｔｅｒ  ｓｅｒｖｅｒ  ｕｎｉｔ）２２０に伝送される。
【０００９】
このバス停標識を通して、交差点ロードサイドユニット（ｉｎｔｅｒｓｅｃｔｉｏｎ  ＲＳＵ）よりリアルタイムビデオストリーミング（ｒｅａｌ−ｔｉｍｅ  ｖｉｄｅｏ  ｓｔｒｅａｍｉｎｇ）を受け取ることができる。
【００１０】
ＩＥＥＥ８０２．１１ｐの規格では、これらのストリーミングリアルタイムビデオはＷＡＶＥサービスチャンネル（ｓｅｒｖｉｃｅ  ｃｈａｎｎｅｌ，ＳＣＨ）を使用して伝送される。
【００１１】
また、ＷＡＶＥオンボードユニット２１０はこのバス停標識を通して、ＷＡＶＥコントロールチャンネル（ｃｏｎｔｒｏｌ  ｃｈａｎｎｅｌ，ＣＣＨ）でバス識別コード（ｂｕｓ  ｉｄｅｎｔｉｆｉｅｒ）を中央サーバーユニット２２０に伝送し、並びに中央サーバーユニット２２０のモニタスクリーン上に、バス停標識マップ上のバス位置が示される。
【発明の概要】
【発明が解決しようとする課題】
【００１２】
多くのサービスは通常、即時性、臨時性、及び暫時性である。たとえば、モバイル経済体（ｍｏｂｉｌｅ  ｅｃｏｎｏｍｉｃ  ｅｎｔｉｔｉｅｓ）がある。一方、ロケーションベースサービスの周知の技術或いは研究は、通常、固定ロケーション（ｆｉｘｅｄ  ｌｏｃａｔｉｏｎ）に重きを置くか、主従構造を基礎としている。この主従構造中、特定短距離通信後端はこのロケーションベースサービス情報をクライアントに戻すことを必要とする。
【００１３】
これにより、どのようにこのモバイル実体が迅速に即時性、臨時性、及び暫時性のロケーションベースサービスをデプロイするのを助けて、使用できるサービスを既存のサービス契約者（ｓｅｒｖｉｃｅ  ｓｕｂｓｃｒｉｂｅｒ）に通知するかが、重要な議題である。
【００１４】
本発明は、一種のインタラクティブ地域ブロードキャストサービスのデプロイメント及び管理のシステムを提供することを目的としている。
【課題を解決するための手段】
【００１５】
請求項１の発明は、インタラクティブ地域ブロードキャストサービスのデプロイメント及び管理のシステムにおいて、このシステムは複数のエージェントを包含し、複数のロードサイドユニットの各該ロードサイドユニットが、該複数のエージェント中の一つのエージェントを具え、各該エージェントはさらに、
各該エージェントは、ロードサイドユニット受信／送信装置、保存装置、及びプロセッサを包含し、
該ロードサイドユニット受信／送信装置は、少なくとも一つのサービスデプロイメントメッセージ（ｓｅｒｖｉｃｅ  ｄｅｐｌｏｙｍｅｎｔ  ｍｅｓｓａｇｅ）を受信し、少なくとも一つのサービストラッキングリクエスト（ｓｅｒｖｉｃｅ  ｔｒａｃｋｉｎｇ  ｒｅｑｕｅｓｔ）をブロードキャストし、
該保存装置は、サービステーブル（ｓｅｖｉｃｅ  ｔａｂｌｅ）とサービス関連トポロジーテーブル（ｓｅｒｖｉｃｅ−ｒｅｌａｔｅｄ  ｔｏｐｏｌｏｇｙ  ｔａｂｌｅ）を維持し、
インタラクティブ地域サービスのブロードキャスティングを実行開始する時、該サービステーブルは、現在、対応するロードサイドユニット上でブロードキャスティングが実行されている少なくとも一つのサービスコンテンツを記録し、
該サービス関連トポロジーテーブルは、該対応するロードサイドユニットの近隣エリアの少なくとも一つのロードサイドユニットを記録し、
該プロセッサは該対応するロードサイドユニットと二つの対応するテーブルにより、インタラクティブ地域サービスデプロイ、インタラクティブ地域サービス中断、及びインタラクティブ地域サービストラッキングを実行し、並びに少なくとも一つのブロードキャスティングサービスを管理と実現することを特徴とする、インタラクティブ地域ブロードキャストサービスのデプロイメント及び管理のシステムとしている。
請求項２の発明は、請求項１に記載のインタラクティブ地域ブロードキャストサービスのデプロイメント及び管理のシステムにおいて、該サービステーブルの各エントリー（ｅｎｔｒｙ）は少なくとも、サービスコードフィールド、記述フィールド、メディアアクセスコントロール（Ｍｅｄｉａ  Ａｃｃｅｓｓ  Ｃｏｎｔｒｏｌ，ＭＡＣ）フィールド、タイムアウト（ｔｉｍｅ  ｏｕｔ）フィールドを包含し、
該サービスコードフィールドは、対応するロードサイドユニット上でブロードキャスティング実行される少なくとも一つのサービスコンテンツのサービスの識別コードを記録し、
該記述フィールドは、該サービスコンテンツの摘要の記述を記録し、
該メディアアクセスコントロールフィールドは、このサービスデプロイメントを要求するロードサイドユニットのメディアアクセスコントロールアドレスを記録し、
該タイムアウトフィールドは、このサービスコンテンツのブロードキャスティングの時間デュレーションを記録することを特徴とする、インタラクティブ地域ブロードキャストサービスのデプロイメント及び管理のシステムとしている。
請求項３の発明は、請求項１に記載のインタラクティブ地域ブロードキャストサービスのデプロイメント及び管理のシステムにおいて、該サービス関連トポロジーテーブルの各エントリーは少なくとも、ロードサイドユニット識別コードフィールド、メディアアクセスコントロールフィールド、及び地点フィールドを包含し、
該ロードサイドユニット識別コードフィールドは、少なくとも一つのサービス関連ロードサイドユニットの一つのロードサイドユニットの識別コードを記録し、
該メディアアクセスコントロールフィールドは、該ロードサイドユニットのメディアアクセスコントロールのアドレスを記録し、
該地点フィールドは、該ロードサイドユニットの実際の地理位置を記録し、
該エージェントがブロードキャスティングサービスを実行する時、該メディアアクセスコントロールフィールドはソースロードサイドユニットと目標ロードサイドユニットの認識の基礎とされることを特徴とする、インタラクティブ地域ブロードキャストサービスのデプロイメント及び管理のシステムとしている。
請求項４の発明は、請求項１に記載のインタラクティブ地域ブロードキャストサービスのデプロイメント及び管理のシステムにおいて、該少なくとも一つのサービスデプロイメントメッセージはロケーションベースサービスデプロイメントメッセージであり、該ロケーションベースサービスデプロイメントメッセージはブロードキャスティングされるロケーションベースサービスデプロイメントのロケーション範囲と時間デュレーションの情報を包含し、並びに該情報はサービスプロバイダーにより選択されることを特徴とする、インタラクティブ地域ブロードキャストサービスのデプロイメント及び管理のシステムとしている。
請求項５の発明は、請求項１に記載のインタラクティブ地域ブロードキャストサービスのデプロイメント及び管理のシステムにおいて、サービス要求者が該対応するロードサイドユニットに向けて該サービストラッキングリクエストを伝送し、及び該サービストラッキングリクエストは、サービスコードと、サービス関連メッセージの情報を包含することを特徴とする、インタラクティブ地域ブロードキャストサービスのデプロイメント及び管理のシステムとしている。
請求項６の発明は、請求項１に記載のインタラクティブ地域ブロードキャストサービスのデプロイメント及び管理のシステムにおいて、サービスプロバイダーが該少なくとも一つのサービスデプロイメントメッセージを該対応するロードサイドユニットに伝送することを特徴とする、インタラクティブ地域ブロードキャストサービスのデプロイメント及び管理のシステムとしている。
請求項７の発明は、請求項２に記載のインタラクティブ地域ブロードキャストサービスのデプロイメント及び管理のシステムにおいて、該サービステーブル中の各エントリーのこれら４つのフィールドの情報は、該対応するロードサイドユニットより近隣のロードサイドユニットに伝送されることを特徴とする、インタラクティブ地域ブロードキャストサービスのデプロイメント及び管理のシステムとしている。
請求項８の発明は、インタラクティブ地域ブロードキャストサービスのデプロイメント及び管理の方法において、
複数のエージェントを準備し、複数のロードサイドユニットの各ロードサイドユニットがインタラクティブ地域ブロードキャスティングサービスをデプロイ及び管理する少なくとも一つの該エージェントを具えているものとするステップと、
各該エージェントが該複数のエージェントのうち、関連する一つのエージェントに対応するロードサイドユニットを通し、少なくとも一つのサービスデプロイメントメッセージを受信し、少なくとも一つのサービストラッキングリクエストをブロードキャストするステップと、
複数のプロセッサを提供し、各プロセッサが該複数のロードサイドユニットを通して、インタラクティブ地域サービスのデプロイメント、インタラクティブ地域サービスの中断、及びインタラクティブ地域サービスのトラッキングを実行し、並びに少なくとも一つのブロードキャスティングサービスを管理と実現するステップと、
を包含することを特徴とする、インタラクティブ地域ブロードキャストサービスのデプロイメント及び管理の方法としている。
請求項９の発明は、請求項８に記載のインタラクティブ地域ブロードキャストサービスのデプロイメント及び管理の方法において、該対応するロードサイドユニットがサービスプロバイダーからのサービスデプロイメントリクエストを受信した後、該対応するロードサイドユニットに対して、対応するエージェントの対応するプロセッサが、同じサービスが該対応するロードサイドユニットに存在しているかを確認し、このリクエストのサービスデプロイメントのカバー範囲を確認し、このリクエストのサービスデプロイメントの時間デュレーションを確認し、このリクエストのサービスデプロイメントを近隣区域まで延伸することを特徴とする、インタラクティブ地域ブロードキャストサービスのデプロイメント及び管理の方法としている。
請求項１０の発明は、請求項８に記載のインタラクティブ地域ブロードキャストサービスのデプロイメント及び管理の方法において、該サービスプロバイダーの対応するロードサイドユニット中の該エージェントが該サービスプロバイダーからのサービス中断リクエストを受け取った後、対応するエージェントの対応するプロセッサが該サービスプロバイダーからのサービス中断リクエストを受け取り、該サービス中断リクエストが付帯する範囲情報を検査し、及び該インタラクティブ地域ブロードキャストサービスのデプロイメントを実行することを特徴とする、インタラクティブ地域ブロードキャストサービスのデプロイメント及び管理の方法としている。
請求項１１の発明は、請求項８に記載のインタラクティブ地域ブロードキャストサービスのデプロイメント及び管理の方法において、サービス要求者が該対応するロードサイドユニットに向けてサービストラッキングリクエストを伝送して、サービスを取得し、それに対応するエージェントの対応するプロセッサが該サービストラッキングリクエストを受信し、サービス関連トポロジーテーブルをサーチし、並びに該サービストラッキングリクエストを該対応するロードサイドユニットの近隣区域に伝送し、及び該インタラクティブ地域ブロードキャストサービスのデプロイメントを実行することを特徴とする、インタラクティブ地域ブロードキャストサービスのデプロイメント及び管理の方法としている。
請求項１２の発明は、請求項８に記載のインタラクティブ地域ブロードキャストサービスのデプロイメント及び管理の方法において、各該エージェントはサービステーブルとサービス関連トポロジーテーブルを維持し、インタラクティブ地域ブロードキャストサービスのブロードキャスティングを実行開始する時、該サービステーブルは、現在対応するロードサイドユニット上でブロードキャスティング実行される少なくとも一つのサービスコンテンツの情報を記録し、該サービス関連トポロジーテーブルは該対応するロードサイドユニットに連結可能な近隣区域内の少なくとも一つのロードサイドユニットの情報を記録することを特徴とする、インタラクティブ地域ブロードキャストサービスのデプロイメント及び管理の方法としている。
請求項１３の発明は、請求項８に記載のインタラクティブ地域ブロードキャストサービスのデプロイメント及び管理の方法において、各該サービスデプロイメントメッセージはブロードキャスティングされるロケーションベースサービスのサービスデプロイメントのロケーション範囲と時間デュレーションの情報を包含し、並びに該情報は該サービスプロバイダーにより選択されることを特徴とする、インタラクティブ地域ブロードキャストサービスのデプロイメント及び管理の方法としている。
請求項１４の発明は、請求項８に記載のインタラクティブ地域ブロードキャストサービスのデプロイメント及び管理の方法において、サービストラッキングリクエストはサービスコードとサービス関連メッセージの情報を包含することを特徴とする、インタラクティブ地域ブロードキャストサービスのデプロイメント及び管理の方法としている。
請求項１５の発明は、請求項９に記載のインタラクティブ地域ブロードキャストサービスのデプロイメント及び管理の方法において、該対応するエージェントの対応するプロセッサは、サービス関連トポロジーテーブルを参照し、該サービスデプロイメントリクエストを該対応するロードサイドユニットの近隣区域に先進することを特徴とする、インタラクティブ地域ブロードキャストサービスのデプロイメント及び管理の方法としている。
請求項１６の発明は、請求項１０に記載のインタラクティブ地域ブロードキャストサービスのデプロイメント及び管理の方法において、該サービスプロバイダーが該サービスの中断を起動する時、一旦、サービス中断時間に到達する時、対応するエージェントの対応するプロセッサが該サービスの中断のサービスを中断し、並びに該サービステーブル中より該サービスの記録を除去することを特徴とする、インタラクティブ地域ブロードキャストサービスのデプロイメント及び管理の方法としている。
請求項１７の発明は、請求項１０に記載のインタラクティブ地域ブロードキャストサービスのデプロイメント及び管理の方法において、該近隣区域中のその他のロードサイドユニットのエージェントがサービストラッキングリクエストを受け取り並びに該サービストラッキングリクエストをその他のロードサイドユニットに伝送し、及び該サービスプロバイダーに向けて該トラッキング情報をレポートすることを特徴とする、インタラクティブ地域ブロードキャストサービスのデプロイメント及び管理の方法としている。
請求項１８の発明は、請求項１７に記載のインタラクティブ地域ブロードキャストサービスのデプロイメント及び管理の方法において、該近隣区域のその他のロードサイドユニットのエージェントが、ある期間に通信不能である時、該対応するエージェントの対応するプロセッサが該サービステーブルをサーチし、異なるロードサイドユニットが同じサービスコンテンツをブロードキャスティング可能であるかを探し出し、異なるロードサイドユニットの情報が存在する場合は、このサービストラッキングリクエストは異なるロードサイドユニットに伝送され、このサービスのトラッキングが完成することを特徴とする、インタラクティブ地域ブロードキャストサービスのデプロイメント及び管理の方法としている。
請求項１９の発明は、請求項８に記載のインタラクティブ地域ブロードキャストサービスのデプロイメント及び管理の方法において、各該エージェントは、ソフトウエアモジュール、装置、埋め込みシステムのいずれかにより実現されることを特徴とする、インタラクティブ地域ブロードキャストサービスのデプロイメント及び管理の方法としている。
請求項２０の発明は、インタラクティブ地域ブロードキャストサービスのデプロイメント及び管理のシステム中のロードサイドユニットにおいて、該ロードサイドユニットは、  少なくとも一つのエージェントを包含し、該エージェントは、サービスプロバイダーが発送した少なくとも一つのサービスデプロイメントメッセージを受け取りサービス要求者が伝送した少なくとも一つのサービストラッキングリクエストをブロードキャスティングし、
及び、プロセッサを提供してインタラクティブ地域サービスのデプロイメント、インタラクティブ地域サービスの中断、インタラクティブ地域サービスのトラッキングを実行し、並びに少なくとも一つのブロードキャスティングサービスを管理及び実現するように設定されていることを特徴とする、インタラクティブ地域ブロードキャストサービスのデプロイメント及び管理のシステム中のロードサイドユニットとしている。
請求項２１の発明は、請求項２０に記載のインタラクティブ地域ブロードキャストサービスのデプロイメント及び管理のシステム中のロードサイドユニットにおいて、該少なくとも一つのエージェントはソフトウエアモジュール、装置、及び埋め込みシステムのいずれかにより実現されることを特徴とする、インタラクティブ地域ブロードキャストサービスのデプロイメント及び管理のシステム中のロードサイドユニットとしている。
請求項２２の発明は、請求項２０に記載のインタラクティブ地域ブロードキャストサービスのデプロイメント及び管理のシステム中のロードサイドユニットにおいて、該少なくとも一つのサービスデプロイメントメッセージは、ロケーションベースサービスデプロイメントメッセージであり、ロケーションベースサービスのブロードキャスティングのロケーション範囲と時間デュレーションを包含し、該サービスプロバイダーがこれら情報を選択することを特徴とする、インタラクティブ地域ブロードキャストサービスのデプロイメント及び管理のシステム中のロードサイドユニットとしている。
【発明の効果】
【００１６】
本発明は一種のインタラクティブ地域ブロードキャストサービスのデプロイメント（ｄｅｐｌｏｙｍｅｎｔ）及び管理のシステムを提供する。本システムはインタラクティブ地域ブロードキャストサービスをデプロイ及び管理するためにデプロイされる複数のエージェントのうち少なくとも一つを具えた複数のロードサイドユニット（ＲＳＵ）を具える。各エージェントは、サービスデプロイメントメッセージを受信し、サービストラッキングリクエストをブロードキャストするためのＲＳＵ受信／送信装置と、サービステーブルとサービス関連トポロジーテーブルを維持するための保存装置とを包含する。該サービステーブルは対応するＲＳＵ上で現在ブロードキャスティングサービスコンテントを実行する少なくとも一つのサービスを記録し、サービス関連トポロジーテーブルは、上記対応するＲＳＵの近隣の少なくとも一つのＲＳＵを、インタラクティブ地域サービスデプロイメント、インタラクティブ地域サービス終了、及びインタラクティブ地域サービストラッキングを実行し、少なくとも一つのブロードキャストサービスを対応するＲＳＵとこれら二つのテーブルを通して完成する。
【図面の簡単な説明】
【００１７】
【図１】この技術を実現できるあるネットワーク構造のレイアウト図である。
【図２】ＷＡＶＥフィールドテスト（ｆｉｅｌｄ  ｔｅｓｔ）のシステム配置の例の表示図である。
【図３】本発明の一つの実施例表示図であり、モバイルプロバイダーがいかにロケーションベースサービスを提供するかを説明する。
【図４】本発明のインタラクティブ地域ブロードキャストサービスのデプロイメント及び管理のシステムの実施例表示図である。
【図５Ａ】本発明のサービステーブルのフィールド形式の表示図である。
【図５Ｂ】本発明のサービステーブルの作業例を示す図である。
【図６Ａ】本発明のサービス関連トポロジーテーブルのフィールド形式の表示図である。
【図６Ｂ】本発明のサービス関連トポロジーテーブルの作業例表示図である。
【図７】本発明において、このロードサイドユニットの近隣区域内の第１の交通を通して接続できるロードサイドユニットを説明する図である。
【図８】本発明のインタラクティブ地域ブロードキャストサービスのデプロイメント及び管理の方法の実施例のフローチャートである。
【図９】本発明の実施例における、サービスプロバイダー、対応するロードサイドユニット、及び、自己の近隣のロードサイドユニットの間のインタラクティブ地域ブロードキャスティングサービスのデプロイメントの説明図である。
【図１０】本発明の実施例の実施例フローチャートであり、デプロイされる対応するロードサイドユニットのエージェントがいかにこの要求のサービスをブロードキャスティングするかを説明する。
【図１１】本発明の実施例において、サービスプロバイダー、対応するロードサイドユニット、及び自己の近隣のロードサイドユニットの間のインタラクティブ地域サービスの中断を説明する図である。
【図１２】本発明の実施例において、サービスプロバイダーの対応するロードサイドユニットによるサービス中断の起動を説明する図である。
【図１３】本発明の実施例において、サービスプロバイダーが自分でいかにサービス中断を起動するかを示す図である。
【図１４】本発明の実施例のインタラクティブ地域サービスのトラッキングを説明する図である。
【発明を実施するための形態】
【００１８】
本発明は一種のインタラクティブ地域ブロードキャストサービスのデプロイメント及び管理のシステムを提供する。
【００１９】
ここに記載のある実施例は、一種のインタラクティブ地域ブロードキャストサービスのデプロイメント及び管理のシステムに関する。このシステムは、複数のエージェント（ａｇｅｎｔ）、複数のロードサイドユニット（ＲＳＵ）を包含する。そのうち各該ロードサイドユニットは、インタラクティブ地域ブロードキャストサービスをデプロイ及び管理するためにデプロイされた少なくとも一つの該エージェントを具えている。
【００２０】
各該エージェントは、ロードサイドユニット受信／送信装置、保存装置、及びプロセッサを包含する。
【００２１】
該ロードサイドユニット受信／送信装置は、少なくとも一つのサービスデプロイメントメッセージ（ｓｅｒｖｉｃｅ  ｄｅｐｌｏｙｍｅｎｔ  ｍｅｓｓａｇｅ）を受信し、少なくとも一つのサービストラッキングリクエスト（ｓｅｒｖｉｃｅ  ｔｒａｃｋｉｎｇ  ｒｅｑｕｅｓｔ）をブロードキャストする。
【００２２】
該保存装置は、サービステーブル（ｓｅｖｉｃｅ  ｔａｂｌｅ）とサービス関連トポロジーテーブル（ｓｅｒｖｉｃｅ−ｒｅｌａｔｅｄ  ｔｏｐｏｌｏｇｙ  ｔａｂｌｅ）を維持する。
【００２３】
インタラクティブ地域サービスのブロードキャスティングを実行開始する時、該サービステーブルは、現在、対応するロードサイドユニット上でブロードキャスティングが実行されている少なくとも一つのサービスコンテンツを記録する。
【００２４】
該サービス関連トポロジーテーブルは、該対応するロードサイドユニットの近隣エリアの少なくとも一つのロードサイドユニットを記録する。
【００２５】
該プロセッサは該対応するロードサイドユニットと二つの対応するテーブルにより、インタラクティブ地域サービスデプロイ、インタラクティブ地域サービス中断、及びインタラクティブ地域サービストラッキングを実行し、並びに少なくとも一つのブロードキャスティングサービスを管理と実現する。
【００２６】
ここに記載のある実施例は、一種のインタラクティブ地域ブロードキャストサービスのデプロイメント及び管理の方法に関する。この方法は、複数のエージェントを準備し、複数のロードサイドユニットの各ロードサイドユニットがインタラクティブ地域ブロードキャスティングサービスをデプロイ及び管理する少なくとも一つの該エージェントを具えているものとするステップと、各該エージェントが該複数のエージェントのうち、関連する一つのエージェントに対応するロードサイドユニットを通し、少なくとも一つのサービスデプロイメントメッセージを受信し、少なくとも一つのサービストラッキングリクエストをブロードキャストするステップと、及び、複数のプロセッサを提供し、各プロセッサが該複数のロードサイドユニットを通して、インタラクティブ地域サービスのデプロイメント、インタラクティブ地域サービスの中断、及びインタラクティブ地域サービスのトラッキングを実行し、並びに少なくとも一つのブロードキャスティングサービスを管理と実現するステップ、を包含する。
【００２７】
ここに記載のある実施例は、一種のインタラクティブ地域ブロードキャストサービスのデプロイメント及び管理のシステム中のロードサイドユニットに関する。このロードサイドユニットは、少なくとも一つのエージェントを包含し、この少なくとも一つのエージェントは、サービスプロバイダーが発送する少なくとも一つのサービスデプロイメントメッセージを受信し、サービス要求者が発送する少なくとも一つのサービストラッキングリクエストをブロードキャスティングする。及び、プロセッサを提供してインタラクティブ地域サービスのデプロイメント、インタラクティブ地域サービスの中断、及びインタラクティブ地域サービスのトラッキングを実行し、並びに少なくとも一つのブロードキャスティングサービスを管理と実現する。
【００２８】
本発明の技術内容、構造特徴、達成する目的を詳細に説明するため、以下に具体的実施例を挙げ並びに図面を組み合わせて説明する。
【００２９】
ここに記載の実施例は、一種のインタラクティブ地域ブロードキャストサービスのデプロイメント及び管理のシステムを提供し、このサービスプロバイダーが迅速にロケーションベースサービスをデプロイするのを助けることができる。
【００３０】
本実施例中、インタラクティブ地域サービスのデプロイメントを利用することで、ロケーションベースサービスのデプロイメントを実現する。ロケーションベースサービスの中断と回収（ｒｅｃｙｃｌｉｎｇ）に対しては、サービス時間制限（ｓｅｒｖｉｃｅ  ｔｉｍｅ  ｃｏｎｓｔｒａｉｎ）を利用することで、インタラクティブ地域サービスの中断を実現する。ロケーションベースサービスのサービス期間において、ロードサイドユニットはインタラクティブ地域サービスのトラッキングを通してサービスユーザー（ｓｅｒｖｉｃｅ  ｕｓｅｒ）とモバイルサービスプロバイダー（ｍｏｂｉｌｅ  ｓｅｒｖｉｃｅ  ｐｒｏｖｉｄｅｒ）の間の通信を実現する。
【００３１】
図３は本発明の一つの実施例を示し、モバイルプロバイダーがいかにロケーションベースサービスを提供するかを説明するものである。図３の実施例中、モバイルサービスプロバイダー、たとえばオンボードユニット３１０が、ロケーションベースサービスデプロイメントメッセージ３１２を、ブロードキャスティングする複数のロードサイドユニットのうちの一つのロードサイドユニット、たとえば、ロードサイドユニット４に伝送し、並びに周囲区域（ｅｃｏｍｐａｓｓｉｎｇ  ｒｅｇｉｏｎ）３２０内において、該ロケーションベースサービスのサービスされるロケーション範囲（ｌｏｃａｔｉｏｎ  ｒａｎｇｅ）と時間デュレーション（ｄｕｒａｔｉｏｎ  ｏｆ  ｔｉｍｅ）を選択するだけで、ロードサイドユニット４内のエージェントがこのメッセージを選択されたロケーション範囲にブロードキャスティングされる。
【００３２】
対応するロードサイドユニット中の各エージェントは自己のロードサイドユニットのブロードキャスティングサービスを管理と完成でき、ゆえに、各エージェントは二つの関連テーブルを遵守及び維持する必要がある。該二つの関連テーブルとは、それぞれサービス関連トポロジーテーブルとサービステーブルである。
【００３３】
各エージェントは保存装置を包含し、該保存装置にこれら二つの関連テーブルを保存する。該エージェントはさらにロードサイドユニット受信／送信装置、たとえば、ロードサイドユニット１中のロードサイドユニット受信／送信装置３１４を包含し得て、それにより伝送されたロケーションベースサービスのサービスデプロイメントメッセージを受信する。このメッセージは少なくとも、このロケーションベースサービスのロケーション範囲と時間デュレーションの情報を包含する。
【００３４】
このサービスのブロードキャスティングを申請する時、この情報はモバイルサービスプロバイダーのにより選択される。サービス要求者はこのロードサイドユニットのカバー範囲内でこのサービスブロードキャスティングメッセージを取得した後、該サービス要求者は最近のロードサイドユニットが発送したサービストラッキングリクエストに対して、一つのサービスを取得する。このサービストラッキングリクエストは、少なくとも、サービスコード（ｓｅｒｖｉｃｅ  ｃｏｄｅ）とサービス関連メッセージ（ｓｅｒｖｉｃｅ−ｒｅｌａｔｅｄ  ｍｅｓｓａｇｅ）の情報を包含する。
【００３５】
該エージェントはさらにプロセッサを包含し得て、該プロセッサによりインタラクティブ地域サービスのデプロイメント、インタラクティブ地域サービスの中断、及びインタラクティブ地域サービスのトラッキングを実行し、並びにロードサイドユニットのブロードキャスティングサービスを管理と実現する。
【００３６】
図４はインタラクティブ地域ブロードキャストサービスのデプロイメント及び管理のシステムの実施例表示図であり、本発明のある実施例と一致する。図４の実施例に示されるように、複数のロードサイドユニット、たとえばロードサイドユニット１、ロードサイドユニット２、．．．、ロードサイドユニットｎに対して、システム４００は、ｎエージェント、たとえば、エージェント１、エージェント２、．．．、エージェントｎを包含し得る。各エージェントｉは対応するロードサイドユニットｉにデプロイされる。１≦ｉ≦ｎである。
【００３７】
このエージェントｉはロードサイドユニット受信／送信装置４１０を包含して、モバイルサービスプロバイダー４１４からの少なくとも一つのサービスデプロイメントメッセージ４１２を受信し、並びに少なくとも一つのサービスリクエスト４０２をその他のエージェントにブロードキャスティングし、さらにトラッキングを行う。
【００３８】
このサービスデプロイメントメッセージ４１２中の情報は、少なくとも対応するサービスに対して、ブロードキャスティングされるロケーション範囲と時間デュレーションを包含する。このロケーション範囲と時間デュレーションは、モバイルサービスプロバイダー４１４により選択される。
【００３９】
該エージェントｉはまた、保存装置４２０を包含し、関連テーブル、すなわちサービステーブル４２２とサービス関連トポロジーテーブル４２４を維持する。サービステーブル４２２は、現在このロードサイドユニットｉ上でサービスコンテンツのブロードキャスティングが実行される該サービスを記録する。エージェントｉがサービスブロードキャスティングを実行する時、サービス関連トポロジーテーブル４２４はこのサービス関連のロードサイドユニットを記録する。
【００４０】
該エージェントｉはさらにプロセッサ４３０を包含し、それによりインタラクティブ地域サービスのデプロイメント、インタラクティブ地域サービスの中断、及びインタラクティブ地域サービスのトラッキングを実行し、このロードサイドユニット、サービステーブル４２２、サービス関連トポロジーテーブル４２４を通して、ロードサイドユニットのブロードキャスティングサービスを管理及び実現する。
【００４１】
図４の実施例中、少なくとも一つのサービスリクエスト４０２が一つのロードサイドユニット、例えばロードサイドユニット３の付近のサービス要求者より発信され得る。一つ或いは複数のロードサイドユニットが、ロードサイドユニットｉのデプロイメントカバー範囲４５０内のロードサイドユニットでない可能性がある。ロードサイドユニットｉのデプロイメントカバー範囲４５０は、プロセッサ４３０がサービスデプロイメント要求の地域サービスデプロイメントを実行した後に、交通（ｔｒａｆｆｉｃ）を通してロードサイドユニットｉに接続され得る。
【００４２】
例えば、ロードサイドユニットｊはロードサイドユニットｉのデプロイメントカバー範囲４５０内のロードサイドユニットではなく、これは、ロードサイドユニットｊは交通（ｔｒａｆｆｉｃ）によりロードサイドユニットｉに接続されないためである。なお、１≦ｊ≦ｎであり、且つｊ≠ｉである。
【００４３】
以下に詳細にプロセッサ４３０がいかにインタラクティブ地域サービスのデプロイメント、インタラクティブ地域サービスの中断、インタラクティブ地域サービスのトラッキングを実行し、且つロードサイドユニット、サービステーブル４２２、サービス関連トポロジーテーブル４２４を通してロードサイドユニットのブロードキャスティングサービスを管理及び実現するかを説明する。
【００４４】
図５Ａと図５Ｂはサービステーブル４２２を説明し、並びに本発明のある実施例に一致する。図５Ａはサービステーブル４２２のフィールド形式の表示図である。図５Ｂはサービステーブル５２２の作業例を示す。
【００４５】
前述したように、ロードサイドユニットｉの各エージェントｉはサービステーブル４２２を使用して現在ロードサイドユニットｉ上でサービスコンテンツブロードキャスティングが実行されるサービスを記録する。図５Ａを参照されたいが、サービステーブル５２２の各エントリー（ｅｎｔｒｙ）は少なくとも四つのフィールド、例えばサービスコード５１２、記述５１４、最後のメディアアクセスコントロール（Ｍｅｄｉａ  Ａｃｃｅｓｓ
Ｃｏｎｔｒｏｌ，ＭＡＣ）５１６、タイムアウト（ｔｉｍｅ  ｏｕｔ）５１８を包含する。
【００４６】
サービスコードフィールドは、サービスの識別コードとこのサービスコードにより認識され得るサービスのコンテンツを記録する。記述フィールドは、サービスコンテンツの摘要、例えば、このサービスの周辺環境或いは交通情報を記録する。最後のメディアアクセスコントロールフィールドは、このサービスデプロイメントを要求するロードサイドユニットの最後のメディアアクセスコントロールアドレスを記録する。タイムアウトフィールドは、このサービスコンテンツのブロードキャスティングの時間デュレーションを記録する。モバイルサービスプロバイダーがサービスブロードキャスティングを申請する時、この時間デュレーションは、このモバイルサービスプロバイダーにより設定され得る。
【００４７】
サービステーブル５２２中の各エントリーに包含されるこの四つのフィールド情報はロードサイドユニットｉより自己の近隣のロードサイドユニットへと伝送される。関係する詳しい説明について、後に記述する。
【００４８】
図５Ｂの作業実施例中、サービステーブル中の一つのサービスコード３．２に対して、二つのロードサイドユニットがサービスコンエンツブロードキャスティングのデプロイメント、例えばリアルタイムの日用品割引を要求している。そのうち、一つのロードサイドユニットは最後のメディアアクセスコントロールアドレス３３３を有し、もう一つのロードサイドユニットは最後のメディアアクセスコントロールアドレス２２２を有する。言い換えると、サービスコードをキー値（ｋｅｙ  ｖａｌｕｅ）としてこのサービステーブルにおいて最後のメディアアクセスコントロールアドレスの異なる情報を検索する。
【００４９】
図６Ａ及び図６Ｂはサービス関連トポロジーテーブル４２４を説明する図であり、並びに本発明のある実施例に一致する。図６Ａはサービス関連トポロジーテーブル４２４のフィールド形式の表示図である。図６Ｂはサービス関連トポロジーテーブルの作業例表示図である。
【００５０】
前述したとおり、あるエージェントがサービスブロードキャスティングを実行する時、サービス関連トポロジーテーブル４２４はサービス関連ロードサイドユニットを記録する。図６Ａを参照されたい。サービス関連トポロジーテーブル４２４の各エントリーは少なくとも三つのフィールドを包含し、それは例えば、ロードサイドユニット識別コードフィールド６１２、メディアアクセスコントロールフィールド６１４、及び地点フィールド６１６である。
【００５１】
ロードサイドユニット識別コードフィールド６１２は、唯一の値をロードサイドユニットの識別コードとして使用する。エージェントがサービスブロードキャスティングを実行する時、メディアアクセスコントロールフィールド６１４はロードサイドユニットのメディアアクセスコントロールのアドレスを記録して、ソースロードサイドユニットと目標ロードサイドユニットの認識の基礎となす。地点フィールド６１６は、ロードサイドユニットの実際の地理位置を記録する。
【００５２】
図５Ｂの例がデプロイされた後、サービス関連ロードサイドユニットはサービス関連トポロジーテーブル４２４より取得される。これにより、隣り合うロードサイドユニットの情報、例えば図６Ｂの作業例のように、取得される。言い換えると、ソースロードサイドユニットの近隣のロードサイドユニットの実際の地理位置が取得され得る。これにより、このソースロードサイドユニットのエージェントはさらに、このサービスリクエストメッセージをブロードキャスティングして隣のロードサイドユニットのエージェントに提供し、並びにインタラクティブ地域サービスのトラッキングを実行する。
【００５３】
このサービス関連トポロジーテーブルは、ただ、例えばこのロードサイドユニットの近隣区域内の第１の、交通連絡を通して接続されるロードサイドユニットを記録する。例えば、図７の例で説明する。ロードサイドユニット２のサービス関連トポロジーテーブル（ソースロードサイドユニット）は、ただロードサイドユニット３、ロードサイドユニット４、ロードサイドユニット５、及びロードサイドユニット６の識別コード、メディアアクセスコントロール、及び地点のフィールドのみを記録する。ロードサイドユニット２はロードサイドユニット７の識別コード、メディアアクセスコントロール、及び地点のフィールドを記録できず、なぜならロードサイドユニット７はロードサイドユニット２のデプロイメント範囲７１０中の第１のロードサイドユニットではないためである。
【００５４】
注意すべきことは、以下のとおりである。ロードサイドユニット付近の交通連絡及び地理環境は、短時間内に、何度も変わることはなく、ただロードサイドユニットがデプロイメント開始される時、サービス関連トポロジーテーブルのコンテンツが手動方式或いはその他の方式により設定されるか、或いは交通連絡及びこのロードサイドユニット周辺の地理環境に変化があった時にのみ、更新され得る。
【００５５】
以下の説明は、システム４００とプロセッサ４３０の細部動作についてである。インタラクティブ地域サービスのブロードキャスティングを実行する時、本実施例は二種類の役割に区分され、すなわち、モバイルサービスプロバイダーとサービス要求者である。
【００５６】
図８は本発明のインタラクティブ地域ブロードキャストサービスのデプロイメント及び管理の方法の実施例のフローチャートである。図８に示される実施例において、まず、ステップ８１０に示されるとおり、複数のエージェントを準備し、複数のロードサイドユニットの各ロードサイドユニットがインタラクティブ地域ブロードキャスティングサービスをデプロイ及び管理する少なくとも一つの該エージェントを具えているものとする。
【００５７】
続いて、ステップ８２０に示されるとおり、各該エージェントが該複数のエージェントのうち、関連する一つのエージェントに対応するロードサイドユニットを通し、少なくとも一つのサービスデプロイメントメッセージを受信し、少なくとも一つのサービストラッキングリクエストをブロードキャストする。
【００５８】
及び、ステップ８３０に示されるように、複数のプロセッサを提供し、各プロセッサが該複数のロードサイドユニットを通して、インタラクティブ地域サービスのデプロイメント、インタラクティブ地域サービスの中断、及びインタラクティブ地域サービスのトラッキングを実行し、並びに少なくとも一つのブロードキャスティングサービスを管理と実現する。
【００５９】
図９は本発明の実施例における、サービスプロバイダー、対応するロードサイドユニット、及び、自己の近隣のロードサイドユニットの間のインタラクティブ地域ブロードキャスティングサービスのデプロイメントの説明図である。図９に示されるように、該対応するロードサイドユニットがサービスプロバイダー９１０からのサービスデプロイメントリクエストを符号９０１のように受信した後、該対応するロードサイドユニットに対して、対応するエージェント９２０の対応するプロセッサが、符号９０２のように、同じサービスが該対応するロードサイドユニットに存在しているかを確認し、符号９０３のように、このリクエストのサービスデプロイメントのカバー範囲を確認し、符号９０４のように、このリクエストのサービスデプロイメントの時間デュレーションを確認し、並びに符号９０５のように、このリクエストのサービスデプロイメントを自己の近隣区域、例えばロードサイドユニットＸまで延伸する。
【００６０】
図１０は本発明の実施例の実施例フローチャートであり、デプロイされる対応するロードサイドユニットのエージェントがいかにこの要求のサービスをブロードキャスティングするかを説明する。図１０に示されるように、該エージェントがサービスデプロイメントリクエストを受信する（ステップ１０１０）。同じサービスが対応するロードサイドユニットに存在する時、このエージェントはサービステーブルを更新し（ステップ１０２０）、サービス関連トポロジーテーブルを参照し、このサービスデプロイメントリクエストを自己の近隣区域まで延伸する（ステップ１０３０）。
【００６１】
同じサービスが対応するロードサイドユニットに存在しない時、該エージェントはこの対応するロードサイドユニットの位置がこのリクエストのサービスデプロイメントの範囲内にあるか否かを決定し（ステップ１０４０）、範囲内にあれば、該エージェントはこのリクエストのサービスデプロイメントの時間デュレーションを設定し（ステップ１０５０）、このサービステーブルを更新する（ステップ１０２０）。範囲内にない時は、該エージェントはこのリクエストのサービスデプロイメントを停止する（ステップ１０６０）。
【００６２】
ステップ１０２０において、このエージェントはこのサービスコンテンツの関係メッセージを更新する。これにより、後日に同じサービスを検索する時、このエージェントは異なるロードサイドユニットが同じサービスコンテンツをデプロイしていることを知ることができる。
【００６３】
ステップ１０４０において、サービスデプロイメントの範囲はモバイルサービスプロバイダーにより設定される。
【００６４】
ステップ１０５０において、このエージェントはモバイルサービスプロバイダーの設定した時間デュレーションによりタイムアウトフィールドを設定し、並びにサービステーブルに関係情報、例えばサービスコード、記述、最後のメディアアクセスコントロール、及びタイムアウトフィールドを書き込む。
【００６５】
図１１は本発明の実施例において、サービスプロバイダー、対応するロードサイドユニット、及び自己の近隣のロードサイドユニットの間のインタラクティブ地域サービスの中断を説明する図である。図１１に示されるように、オンボードユニット１１１０がサービスデプロイメントリクエストをそのエージェント１１２０に伝送する（符号１１０１）。エージェント１１２０のプロセッサがこのサービス中断リクエストを受信し（符号１１０２）、このサービス中断リクエストのサービスコードを対照し（符号１１０３）、さらにサービス中断メッセージを自己の近隣区域、例えばロードサイドユニットＸに転送する（符号１１０４）。これにより、その他のロードサイドユニット、例えばロードサイドユニットＸのエージェントが続いて類似の方式により、このサービス中断リクエストを完成する。
【００６６】
サービスプロバイダーは二種類の状況下で、サービスの中断をリクエストできる。第一種の状況は、サービスプロバイダーが設定したサービスのブロードキャスティング時間デュレーションに達した状況である。この状況では、対応するロードサイドユニットによりサービス中断を起動する。第二種の状況は、サービスプロバイダーが異なる原因によりサービス中断を起動する状況である。
【００６７】
図１２は、本発明の実施例において、サービスプロバイダーの対応するロードサイドユニットによるサービス中断の起動を説明する図である。図１２に示されるように、まず、このエージェントはこのサービスプロバイダーがサービス中断したか否かを検査する（ステップ１２１０）。イエスであれば、このサービスプロバイダーはサービス中断プロセスを起動する（ステップ１２１５）。ノーであれば、このエージェントはこのロードサイドユニットにおいてこのサービス中断のタイマーを設定し（ステップ１２２０）、このサービスを中断し（ステップ１２３０）、並びにこのサービステーブル中のサービスコンテンツを更新、記録する（ステップ１２４０）。
【００６８】
言い換えると、このロードサイドユニットのエージェントはこのサービステーブルのタイムアウトフィールドの値に基づき、このサービスのサービス中断時間を設定する。このサービス中断時間に到達する時、このエージェントはこのサービスコンテンツのブロードキャスティングを中断し、並びにこのサービステーブル中よりこのサービスコンテンツの記録を除去する。
【００６９】
図１３は本発明の実施例において、サービスプロバイダーが自分でいかにサービス中断を起動するかを示す図である。図１３に示されるように、サービスプロバイダーからのサービス中断リクエストを、サービスプロバイダーに対応するロードサイドユニット中のエージェントが受信する（ステップ１３１０）。その後、このエージェントがこのロードサイドユニットがこのサービスデプロイメントの範囲内に位置するか否かを決定する（ステップ１３２０）。これは、このサービス中断リクエストの付帯する範囲情報を検査することにより完成し得る。もしデプロイメント範囲内にない場合、このエージェントはこのサービス中断リクエストを中断する（ステップ１３３０）。そうでなければ、このエージェントは続いてこのサービステーブルに同じサービスの記録があるか否かを検査する（ステップ１３４０）。この同じサービスのコンテンツを確認した後、このサービステーブルを更新する（ステップ１３５０）。このとき、サービステーブル内のサービスコンテンツの記録は削除され得る。最後に、このエージェントはサービス関連トポロジーテーブルを参照してサービス中断メッセージを自己の近隣区域に転送する（ステップ１３６０）。このサービス関連トポロジーテーブルを参照し、この近隣のロードサイドユニットを取得でき、これにより、その他のロードサイドユニットのエージェントが続いて類似の方式によりこのサービス中断リクエストを完成できる。
【００７０】
サービス要求者はロードサイドユニットのデプロイメント通信範囲において、サービスブロードキャスティングメッセージを取得した後、このサービス要求者はこのロードサイドユニットに向けてサービストラッキングリクエストを送信し、このサービスを取得する。
【００７１】
図１４は本発明の実施例のインタラクティブ地域サービスのトラッキングを説明する図である。図１４に示されるように、このサービス要求者はサービストラッキングリクエストを送信してこのサービスを取得する（ステップ１４１０）。ロードサイドユニットのエージェントはこのサービストラッキングリクエストを受信し（ステップ１４２０）、サービス関連トポロジーテーブルをサーチし、このサービストラッキングリクエストを自己の近隣区域に伝送する（ステップ１４３０）。
【００７２】
ステップ１４３０において、このサービス関連トポロジーテーブルは近隣のロードサイドユニットの情報を提供できる。その他のロードサイドユニットのエージェントがこのサービス中断リクエストを受信した後、その他のロードサイドユニットのエージェントは同じ方式で、このトラッキングリクエストをその他のロードサイドユニットに分散し、並びにこのサービスプロバイダーに向けてこのトラッキング情報をレポートする。
【００７３】
本発明はまた、錯誤許容メカニズム（ｆａｕｌｔ−ｔｏｌｅｒａｎｃｅ  ｍｅｃｈａｎｉｓｍ）を設計することにより、サービスプロバイダートラッキングの過程中に、ハードウエア又はソフトウエア、通信品質或いは環境因子によりエージェントが通信不能となる状況を防止する。
【００７４】
エージェント、たとえばロードサイドユニットの近隣区域のその他のロードサイドユニットのエージェントが、このサービストラッキングリクエストを受信した時、ある期間に通信不能である時、このエージェントは同じサービスコードを使用してこのサービステーブルをサーチし、異なるロードサイドユニットが同じサービスコンテンツをブロードキャスティング可能であるかを探し出す。もし、異なるロードサイドユニットの情報が存在する場合は、このサービストラッキングリクエストは異なるロードサイドユニットに伝送され、このサービスのトラッキングを完成する。
【００７５】
本発明において、サービスプロバイダーがスピーディーにこのロケーションベースサービスをデプロイする実施例は以下のように実行される。仮に、モバイルピザ販売車が台北駅付近でピザを販売し、並びに近隣のロードサイドユニットにピザ優待メッセージのブロードキャスティングのサービスデプロイメントをリクエストする。この近隣のロードサイドユニットのデプロイメント範囲は、台北駅周囲のロードサイドユニットを包含し得る。このピザ特待メッセージのブロードキャスティングの期間は２時間に設定される。
【００７６】
インタラクティブ地域サービスの実行は以下のとおりである。まず、このモバイルピザ販売車がパラメータ、すなわち、サービスブロードキャスティングのデプロイメント範囲と時間デュレーションを指定する。及び、台北駅周囲の最も近いロードサイドユニットにサービスデプロイメントの提供を要求する。
【００７７】
第２に、最も近隣のロードサイドユニットがこのモバイルピザ販売車のリクエストを確認した後、このリクエストはこの最も近隣のロードサイドユニットの近隣区域、例えばその近隣のロードサイドユニットに伝送され、これによりこのモバイルピザ販売車が設定したパラメータを確認する。この近隣のロードサイドユニットは重複して同じステップを、モバイルピザ販売車が指定するデプロイメント範囲内のロードサイドユニットがカバーされるまで実行する。
【００７８】
一つのサービス要求者がデプロイメント範囲を入力し、並びにリクエストを付近のロードサイドユニットに伝送する時、この付近のロードサイドユニットはデプロイメント期間にこの構築された経路を使用し、モバイルピザ販売車とコミュニケートする。二時間の後、最も近いロードサイドユニットの近隣の全てのロードサイドユニットがサービス中断プロセスを実行することで、このサービスを中断する。
【００７９】
この実施例中、インタラクティブ地域ブロードキャストサービスのデプロイメント及び管理のシステム中のロードサイドユニットが包含する少なくとも一つのエージェントは、設定されてサービスプロバイダーが伝送する少なくとも一つのサービスデプロイメントメッセージを受信し、サービスプロバイダーが伝送する少なくとも一つのサービストラッキングリクエストをブロードキャスティングし、並びにプロセッサを提供してインタラクティブ地域サービスのデプロイメント、インタラクティブ地域サービスの中断、及びインタラクティブ地域サービスのトラッキングを実行し、少なくとも一つのブロードキャスティングサービスを管理及び実現する。
【００８０】
前述したように、少なくとも一つのエージェントは、ソフトウエアモジュール、装置、及び埋め込みシステムにより実現される。
【００８１】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００８２】
１０  公共データネットワーク（Ｐｕｂｌｉｃ  Ｄａｔａ  Ｎｅｔｗｏｒｋ，ＰＤＮ）
１１  モバイル装置
１２  モバイル装置
２１  基地局（ｂａｓｅ  ｔｒａｎｓｃｅｉｖｅｒ  ｓｔａｔｉｏｎ，ＢＴＳ）
２２  基地局（ｂａｓｅ  ｔｒａｎｓｃｅｉｖｅｒ  ｓｔａｔｉｏｎ，ＢＴＳ）
２３  基地局（ｂａｓｅ  ｔｒａｎｓｃｅｉｖｅｒ  ｓｔａｔｉｏｎ，ＢＴＳ）
２４  基地局（ｂａｓｅ  ｔｒａｎｓｃｅｉｖｅｒ  ｓｔａｔｉｏｎ，ＢＴＳ）
２１０  ＷＡＶＥオンボードユニット
２２０  中央サーバーユニット
３１０  オンボードユニット
３１２  ロケーションベースサービスデプロイメントメッセージ
３１４  ロードサイドユニット受信／送信装置
３２０  周辺区域
４００  システム
４０２  サービスリクエスト
４１０  ロードサイドユニット受信／送信装置
４１２  サービスデプロイメントメッセージ
４１４  モバイルサービスプロバイダー
４２０  保存装置
４２２  サービステーブル
４２４  サービス関連トポロジーテーブル
４３０  プロセッサ
４５０  デプロイメントカバー範囲
５２２  サービステーブル
５１２  サービスコード
５１４  記述
５１６  最後のメディアアクセスコントロール
５１８  タイムアウト
６１２  ロードサイドユニット識別コードフィールド
６１４  メディアアクセスコントロールフィールド
６１６  地点フィールド
７１０  デプロイメント範囲
８１０  複数のエージェントを準備し、複数のロードサイドユニットの各ロードサイドユニットがインタラクティブ地域ブロードキャスティングサービスをデプロイ及び管理する少なくとも一つの該エージェントを具えているものとする
８２０  各該エージェントが該複数のエージェントのうち、関連する一つのエージェントに対応するロードサイドユニットを通し、少なくとも一つのサービスデプロイメントメッセージを受信し、少なくとも一つのサービストラッキングリクエストをブロードキャストする
８３０  複数のプロセッサを提供し、各プロセッサが該複数のロードサイドユニットを通して、インタラクティブ地域サービスのデプロイメント、インタラクティブ地域サービスの中断、及びインタラクティブ地域サービスのトラッキングを実行し、並びに少なくとも一つのブロードキャスティングサービスを管理と実現する
９１０  サービスプロバイダー
９２０  エージェント
９０１  該対応するロードサイドユニットがサービスデプロイメントリクエストを受信する
９０２  該対応するロードサイドユニットに対して、対応するエージェントの対応するプロセッサが、同じサービスが該対応するロードサイドユニットに存在しているかを確認する
９０３  このリクエストのサービスデプロイメントのカバー範囲を確認する
９０４  このリクエストのサービスデプロイメントの時間デュレーションを確認する
９０５  このリクエストのサービスデプロイメントを延伸する
１０１０  このエージェントがサービスデプロイメントリクエストを受信する
１０２０  このエージェントはサービステーブルを更新する
１０３０  サービス関連トポロジーテーブルを参照し、このサービスデプロイメントリクエストを自己の近隣区域まで延伸する
１０４０  このエージェントはこの対応するロードサイドユニットの位置がこのリクエストのサービスデプロイメントの範囲内にあるか否かを決定する
１０５０  このエージェントはこのリクエストのサービスデプロイメントの時間デュレーションを設定する
１０６０  このエージェントはこのリクエストのサービスデプロイメントを停止する
１１０１  サービスデプロイメントリクエストを自己のエージェント１１２０に伝送する１１０２  エージェント１１２０のプロセッサがこのサービス中断リクエストを受信する１１０３  このサービス中断リクエストのサービスコードを対照する
１１０４  さらにサービス中断メッセージを自己の近隣区域に転送する
１１１０  オンボードユニット
１１２０  エージェント
１２１０  このエージェントはこのサービスプロバイダーがサービス中断したか否かを検査する
１２１５  このサービスプロバイダーはサービス中断プロセスを起動する
１２２０  このエージェントはこのロードサイドユニットにおいてこのサービス中断のタイマーを設定する
１２３０  このサービスを中断する
１２４０  このサービステーブル中のサービスコンテンツを更新、記録する
１３１０  サービスプロバイダーからのサービス中断リクエストを、エージェントが受信する
１３２０  このエージェントがこのロードサイドユニットがこのサービスデプロイメントの範囲内に位置するか否かを決定する
１３３０  このエージェントはこのサービス中断リクエストを中断する
１３４０  このサービステーブルに同じサービスの記録があるか否かを検査する
１３５０  このサービステーブルを更新する
１３６０  このエージェントはサービス関連トポロジーテーブルを参照してサービス中断メッセージを自己の近隣区域に転送する
１４１０  このサービス要求者はサービストラッキングリクエストを送信してこのサービスを取得する
１４２０  ロードサイドユニットのエージェントはこのサービストラッキングリクエストを受信する
１４３０  サービス関連トポロジーテーブルをサーチし、このサービストラッキングリクエストを自己の近隣区域に伝送する
【図１】
2012114891.tif 000003
【図２】
2012114891.tif 000004
【図３】
2012114891.tif 000005
【図４】
2012114891.tif 000006
【図５Ａ】
2012114891.tif 000007
【図５Ｂ】
2012114891.tif 000008
【図６Ａ】
2012114891.tif 000009
【図６Ｂ】
2012114891.tif 000010
【図７】
2012114891.tif 000011
【図８】
2012114891.tif 000012
【図９】
2012114891.tif 000013
【図１０】
2012114891.tif 000014
【図１１】
2012114891.tif 000015
【図１２】
2012114891.tif 000016
【図１３】
2012114891.tif 000017
【図１４】
2012114891.tif 000018